(57)【要約】【課題】２つの回動軸を有するヒンジ機構を用いた場合でも、表示ユニットがユーザの意図しない角度に回動することを防止し、所望の角度に容易に表示ユニットを回動させることができる操作性に優れた電子機器を提供する。【解決手段】電子機器は、機器本体１に対してヒンジ機構を介して開閉方向に回動可能に支持される表示ユニットを備える。ヒンジ機構は、機器本体１に対して第１回動軸１６を介して開閉方向に回動可能に支持される第１ヒンジプレート１９と、表示ユニット１５が取り付けられ、第１ヒンジプレート１９に対して第１回動軸１６と平行な第２回動軸１７を介して開閉方向に回動可能に支持される第２ヒンジプレート２０と、を有する。そして、機器本体１に対して閉じた状態の第１ヒンジプレート１９に対して表示ユニット１５を第２ヒンジプレート２０とともに第２回動軸１７を介して回動させるとき、第１ヒンジプレート１９の第１回動軸１６を介した回動をロック機構により規制する。【選択図】図４
2016098870.tif 000002
【特許請求の範囲】
【請求項１】
機器本体と、前記機器本体に対してヒンジ機構を介して開閉方向に回動可能に支持される表示ユニットと、を備える電子機器であって、
前記ヒンジ機構は、
前記機器本体に対して第１回動軸を介して開閉方向に回動可能に支持される第１ヒンジプレートと、
前記表示ユニットが取り付けられ、前記第１ヒンジプレートに対して前記第１回動軸と平行な第２回動軸を介して開閉方向に回動可能に支持される第２ヒンジプレートと、を有し、
前記機器本体に対して閉じた状態の前記第１ヒンジプレートに対して前記表示ユニットを前記第２ヒンジプレートとともに前記第２回動軸を介して回動させるとき、前記第１ヒンジプレートの前記第１回動軸を介した回動を規制するロック機構を備えることを特徴とする電子機器。
【請求項２】
前記ロック機構は、
前記機器本体に設けられるロック部材と、
前記第２ヒンジプレート及び前記第１ヒンジプレートが共に閉じた状態で前記表示ユニットから前記第２ヒンジプレート及び前記第１ヒンジプレートを貫通して設けられ、前記ロック部材に掛脱可能に掛止される第１掛止部、及び前記第１掛止部に並設される斜面リブと、
前記第１ヒンジプレートに付勢バネにより付勢された状態で設けられるロックスライダと、を備え、
前記ロックスライダは、前記第１ヒンジプレートに対して前記第２ヒンジプレートが閉じた状態で前記斜面リブによって前記付勢バネの付勢力に抗して押し下げられる斜面部、及び前記斜面部に並設される第２掛止部を有し、
前記機器本体に対して閉じた状態の前記第１ヒンジプレートに対して前記表示ユニットを前記第２ヒンジプレートとともに前記第２回動軸を介して回動させた際に、前記斜面部から前記斜面リブが外れるとともに、前記ロック部材から前記第１掛止部が外れ、前記第２掛止部が前記付勢バネの付勢力によって前記ロック部材に向けて移動して前記ロック部材に掛止されることを特徴とする請求項１に記載の電子機器。
【請求項３】
前記機器本体に対する前記第１ヒンジプレートの前記第１回動軸を介した回動角度は、前記第１ヒンジプレートに対する前記第２ヒンジプレートの前記第２回動軸を介した回動角度より小さいことを特徴とする請求項１又は２に記載の電子機器。
【発明の詳細な説明】
【技術分野】
【０００１】
本発明は、例えばデジタルカメラやデジタルビデオカメラ等の電子機器に関し、特に機器本体に対してヒンジ機構を介して表示ユニットが回動可能に支持される電子機器に関する。
【背景技術】
【０００２】
デジタルカメラ等の電子機器では、機器本体に第１回動軸を介して第１ヒンジプレートを回動可能に連結し、第１ヒンジプレートに対して表示ユニットを保持する第２ヒンジプレートを第２回動軸を介して回動可能に支持するヒンジ機構を備えるものがある。
【０００３】
このような電子機器においては、機器本体に対して、表示ユニットを第１回動軸及び／又は第２回動軸を介して適宜回動操作することで、ローアングル撮影、ハイアングル撮影又は自分撮り撮影に適した位置に表示ユニットの表示画面を向けることができる。また、ヒンジ機構の第１回動軸と第１ヒンジプレートとの間、及び第２回動軸と第２ヒンジプレートとの間には、ユーザの表示ユニットの回動操作に適した摩擦による摺動トルクが設定される。
【０００４】
しかし、その設定された摺動トルクの大きさでは、表示ユニットの良好な回動操作性は確保できるものの、電子機器に外部から衝撃が加わった際に、表示ユニットがユーザの意図しない角度に回動してしまう可能性がある。
【０００５】
この問題に対し、第１筐体と第２筐体を閉じた状態で保持するロック機構を備える筐体構造が提案されている（特許文献１）。このロック機構は、第１筐体及び第２筐体のうちの一方の筐体に対して出没可能に組み付けられ、一方の筐体から突出して他方の筐体に係脱可能なロック部材を備える。ロック部材は、弾性部材によって一方の筐体から突出する方向に付勢されており、弾性部材と並列的に配置された操作部材によって一方の筐体内に没入する方向に操作される。
【先行技術文献】
【特許文献】
【０００６】
【特許文献１】特開２０１０−２７２９３３号公報
【発明の概要】
【発明が解決しようとする課題】
【０００７】
しかし、上記特許文献１では、２つの回動軸を有するヒンジ機構に適用した場合、一方の回動軸を中心とした表示ユニットの回動しかロックすることができない。そのため、通常使用時において、電子機器に外部から衝撃が加わった際に、表示ユニットが他方の回動軸を中心としてユーザの意図しない角度に回動してしまう可能性がある。
【０００８】
そこで、本発明は、２つの回動軸を有するヒンジ機構を用いた場合でも、表示ユニットがユーザの意図しない角度に回動することを防止し、所望の角度に容易に表示ユニットを回動させることができる操作性に優れた電子機器を提供することを目的とする。
【課題を解決するための手段】
【０００９】
上記目的を達成するために、本発明は、機器本体と、前記機器本体に対してヒンジ機構を介して開閉方向に回動可能に支持される表示ユニットと、を備える電子機器であって、前記ヒンジ機構は、前記機器本体に対して第１回動軸を介して開閉方向に回動可能に支持される第１ヒンジプレートと、前記表示ユニットが取り付けられ、前記第１ヒンジプレートに対して前記第１回動軸と平行な第２回動軸を介して開閉方向に回動可能に支持される第２ヒンジプレートと、を有し、前記機器本体に対して閉じた状態の前記第１ヒンジプレートに対して前記表示ユニットを前記第２ヒンジプレートとともに前記第２回動軸を介して回動させるとき、前記第１ヒンジプレートの前記第１回動軸を介した回動を規制するロック機構を備えることを特徴とする。
【発明の効果】
【００１０】
本発明によれば、２つの回動軸を有するヒンジ機構を用いた場合でも、表示ユニットがユーザの意図しない角度に回動することを防止し、所望の角度に容易に表示ユニットを回動させることができる操作性に優れた電子機器を提供することができる。
【図面の簡単な説明】
【００１１】
【図１】（ａ）は本発明の電子機器の実施形態の一例であるデジタルカメラのカメラ本体を正面側（被写体側）から見た斜視図、（ｂ）は（ａ）の背面側から見た斜視図である。
【図２】ヒンジ機構を介した表示ユニットの開閉動作を説明する斜視図である。
【図３】ヒンジ機構の分解斜視図である。
【図４】図２の各々の表示ユニットの状態に対応したヒンジ機構の状態を示す斜視図である。
【図５】（ａ）はカメラ本体を背面側から見た図、（ｂ）は（ａ）のＢ−Ｂ線断面図である。
【図６】第１ヒンジプレートが不用意に回動した状態を示す斜視図である。
【図７】（ａ）はカメラ本体の背面部からヒンジ機構と表示ユニットを取り外した状態を示す斜視図、（ｂ）は（ａ）のＣ部拡大図である。（ｃ）は表示ユニットとヒンジ機構との組立体の斜視図、（ｄ）は（ｃ）のＥ部拡大図である。（ｅ）はフレキガードを第１ヒンジプレートとの当接面側から見た斜視図、（ｆ）は（ｅ）のＦ部拡大図である。
【図８】表示ユニットを第１回動軸又は第２回動軸を中心に回動させたときのロック機構の動作を説明する要部断面図である。
【発明を実施するための形態】
【００１２】
以下、図面を参照して、本発明の実施形態の一例を説明する。
【００１３】
図１（ａ）は本発明の電子機器の実施形態の一例であるデジタルカメラのカメラ本体を正面側（被写体側）から見た斜視図、図１（ｂ）は図１（ａ）の背面側から見た斜視図である。
【００１４】
本実施形態のデジタルカメラは、図１（ａ）に示すように、カメラ本体１の正面側に不図示の交換レンズが着脱可能に装着されるマウント部２が設けられている。マウント部２には、マウント接点２ａが設けられ、マウント接点２ａは、カメラ本体１と交換レンズとの間の制御信号、状態信号、データ信号等を通信すると共に、各種電源を供給する機能を有する。カメラ本体１のマウント部２の近傍には、交換レンズを取り外す際に押し込むレンズロック解除ボタン４が設けられている。カメラ本体１は、本発明の機器本体の一例に相当する。
【００１５】
カメラ本体１の内部には、交換レンズを通過して結像した被写体像を光電変換して画像デ−タを生成するＣＭＯＳセンサ等の撮像素子３が実装されている。撮像素子３が生成した画像デ−タは、カメラ本体１に実装された信号処理基板（不図示）の処理回路によりデジタル情報に変換される。信号処理基板には、カードＩ／Ｆ等を含む記録媒体スロットや撮像部、画像処理部、システム制御部、シリアルＩ／Ｆ等が実装されている。
【００１６】
カメラ本体１の上面部には、レリーズボタン５、電子ダイアル６、モードダイアル７、電源ボタン８、露出補正ダイアル９、及び外部ストロボ等のアクセサリ類を取り付けるためのアクセサリシュー１０が設けられている。また、カメラ本体１を正面側から見て右側の側部には、内蔵されたストロボ部１１をポップアップさせるストロボレバー１１ａ、及び信号入出力用ジャック（不図示）を開閉可能に覆うジャック保護用カバー１２ａが設けられている。
【００１７】
図１（ｂ）に示すように、カメラ本体１の底部には、電池収納室（不図示）に収納された電池や記録媒体を開閉可能に覆う電池蓋１３が設けられている。カメラ本体１を背面側から見て右側の側部には、信号入出力用ジャック（不図示）を開閉可能に覆うジャック保護用カバー１２ｂが設けられている。ジャック保護用カバー１２ａ，１２ｂを開くことで入出力用ジャックへのケーブル類の抜き差しが可能となる。
【００１８】
また、カメラ本体１の背面部には、操作ボタン群１４、及び表示ユニット１５が設けられている。操作ボタン群１４は、撮影条件の変更や表示ユニット１５の表示形式の変更といった機能を選択する際に利用する。表示ユニット１５は、撮影前のスルー画像、撮影画像、及び各種撮影条件等を表示する。表示ユニット１５には、タッチセンサが内蔵され、撮影条件等の変更やその他種々の設定が可能となっている。
【００１９】
ここで、表示ユニット１５は、カメラ本体１の背面部に対して、互いに平行に配置される２つの回動軸１６，１７を有するヒンジ機構を介して開閉方向に回動可能に支持されている。
【００２０】
図２は、ヒンジ機構を介した表示ユニット１５の開閉動作を説明する斜視図である。図２（ａ）は、カメラ本体１に対して表示ユニット１５が閉じた状態を示しており、この状態からヒンジ機構の下側の第１回動軸１６を中心として表示ユニット１５を図２（ｂ）の状態まで下方向に４５°回動させることができる。
【００２１】
また、表示ユニット１５は、図２（ａ）の状態からヒンジ機構の後述するスライド構造により、図２（ｃ）に示すように、下方向（矢印Ａ方向）にスライド可能になっている。そして、スライド後、表示ユニット１５を、図２（ｄ）に示すように、ヒンジ機構の上側の第２回動軸１７を中心として上方向に１８０°回動させることができる。このように、表示ユニット１５を下方向にスライドさせてから上側の第２回動軸１７を中心として上方向に１８０°回動させることにより、表示ユニット１５に表示された画像情報がアクセサリシュー１０等により邪魔されて見えなくなるのを防止することができる。
【００２２】
次に、図３乃至図５を参照して、ヒンジ機構について詳しく説明する。図３は、ヒンジ機構の分解斜視図である。図４（ａ）乃至図４（ｄ）は、図２（ａ）乃至図２（ｄ）の各々の表示ユニット１５の状態に対応したヒンジ機構の状態を示す斜視図である。
【００２３】
図３に示すように、ヒンジ機構は、固定プレート１８ａ，１８ｂ、第１ヒンジプレート１９、第２ヒンジプレート２０、スライドプレート２１、スライドバネ２３、及びヒンジストッパ２４を有する。
【００２４】
固定プレート１８ａ，１８ｂは、カメラ本体１の背面部におけるカメラ本体１の高さ方向の下部両側にそれぞれビス等により固定される。固定プレート１８ａには、軸穴部１８ｃが形成されている。この軸穴部１８ｃと第１ヒンジプレート１９の下部に形成された軸穴部１９ａに不図示の軸を貫通させて加締めることで、固定プレート１８ａに対して第１ヒンジプレート１９が所定の摺動トルクを満たすように回動可能に支持される。
【００２５】
同様に、固定プレート１８ｂには、軸穴部１８ｄが形成されている。この軸穴部１８ｄと第１ヒンジプレート１９の下部に形成された軸穴部１９ｂに軸を貫通させて加締めることで、固定プレート１８ｂに対して第１ヒンジプレート１９が所定の摺動トルクを満たすように回動可能に支持される。固定プレート１８ａ，１８ｂに対する第１ヒンジプレート１９の２箇所の回動中心は同軸であり、第１回動軸１６を構成する。
【００２６】
また、第１ヒンジプレート１９の上部両側には、軸穴部１９ｃ，１９ｄが形成されている。軸穴部１９ｃ，１９ｄと第２ヒンジプレート２０の上部両側に形成された軸穴部２０ａ，２０ｂに各々不図示の軸を貫通させて加締めることで、第１ヒンジプレート１９に対して第２ヒンジプレート２０が所定の摺動トルクを満たすように回動可能に支持される。第１ヒンジプレート１９に対する第２ヒンジプレート２０の２箇所の回動中心は同軸であり、第２回動軸１７を構成する。
【００２７】
ここで、カメラ本体１に対する第１ヒンジプレート１９の第１回動軸１６を介した回動角度は、第１ヒンジプレート１９に対する第２ヒンジプレート２０の第２回動軸１７を介した回動角度より小さく設定されている。また、第１回動軸１６、及び第２回動軸１７の摺動トルクは、表示ユニット１５が自重で回動せず、かつユーザが適度な力で表示ユニット１５を回動操作できる範囲で設定されている。
【００２８】
スライドプレート２１の両側部には、摺動部材２２ａ，２２ｂが設けられている。摺動部材２２ａ，２２ｂは、第２ヒンジプレート２０の両側部に対してスライド移動可能に支持されている。また、スライドプレート２１は、第２ヒンジプレート２０に固定されるスライドバネ２３により図２及び図４の下方向に付勢されている。
【００２９】
スライドバネ２３による付勢力は、スライドプレート２１に固定されたヒンジストッパ２４が第２ヒンジプレート２０に当接することで受け止められる。これにより、図４（ｃ）に示すように、スライドプレート２１が第２ヒンジプレート２０から外れない位置でスライドプレート２１の下方向へのスライド移動が規制される。スライドプレート２１には、表示ユニット１５がビス等により一体に固定される。
【００３０】
表示ユニット１５は、図２（ａ）及び図２（ｂ）の状態では、スライドバネ２３の付勢力に抗してスライドプレート２１とともに保持されている。この点について、図５を参照して説明する。
【００３１】
図５（ａ）はカメラ本体１を背面側から見た図、図５（ｂ）は図５（ａ）のＢ−Ｂ線断面図である。図２（ａ）及び図２（ｂ）の状態では、表示ユニット１５に設けられたスライドストッパ１５ａが第１ヒンジプレート１９の化粧カバー２５に設けられた凸部２５ａに当接することで、スライドバネ２３の付勢力が受け止められる。これにより、表示ユニット１５は、スライドバネ２３の付勢力による下方向へのスライド移動が規制され、スライドプレート２１とともに保持される。
【００３２】
そして、表示ユニット１５をスライドプレート２１及び第２ヒンジプレート２０とともに第２回動軸を中心に回動させることで、スライドストッパ１５ａが凸部２５ａから外れる。これにより、表示ユニット１５は、スライドバネ２３の付勢力により、スライドプレート２１のヒンジストッパ２４が第２ヒンジプレート２０に当接する位置まで下方向へスライド移動することが可能となる。
【００３３】
ところで、上記構成のヒンジ機構では、表示ユニット１５を図２（ｃ）の状態から図２（ｄ）の状態まで第２回動軸１７を中心に上方向に回動させている際に、第１ヒンジプレート１９を第１回動軸１６を中心に回動させることができる。
【００３４】
このため、ユーザが表示ユニット１５を上方向に回動させている際に、第１ヒンジプレート１９に対して第１回動軸１６中心の回動方向に力が加わると、図６に示すように、第１ヒンジプレート１９が不用意に回動してユーザの意図しない状態となることがある。図６の状態になると、第１ヒンジプレート１９を元の状態まで戻す回動操作が必要となるため、表示ユニット１５の回動操作性が低下する。
【００３５】
そこで、本実施形態では、表示ユニット１５を上方向に回動させている際に、第１ヒンジプレート１９が不用意に回動するのを防止するためのロック機構を設けている。図７及び図８を参照して、ロック機構について詳しく説明する。
【００３６】
図７（ａ）はカメラ本体１の背面部からヒンジ機構と表示ユニット１５を取り外した状態を示す斜視図、図７（ｂ）は図７（ａ）のＣ部拡大図である。
【００３７】
図７（ａ）及び図７（ｂ）に示すように、カメラ本体１の背面部には、カメラ本体１の内部に設けられた不図示のバネにより図の下方向（矢印Ｄ方向）に付勢されたロック爪２６がカメラ本体１の背面部から突出して設けられている。
【００３８】
図７（ｃ）は表示ユニット１５とヒンジ機構との組立体の斜視図、図７（ｄ）は図７（ｃ）のＥ部拡大図である。
【００３９】
表示ユニット１５の裏面には、スライドプレート２１、第２ヒンジプレート２０、及び第１ヒンジプレート１９を貫通してカメラ本体１の背面側に露出する画面掛止部１５ｂと斜面リブ１５ｃが設けられている。画面掛止部１５ｂは、本発明の第１掛止部の一例に相当し、斜面リブ１５ｃは、画面掛止部１５ｂに並設されている。
【００４０】
図７（ｅ）は第１ヒンジプレート１９にビス等で固定されるフレキガード２７を第１ヒンジプレート１９との当接面側から見た斜視図、図７（ｆ）は図７（ｅ）のＦ部拡大図である。
【００４１】
フレキガード２７は、カメラ本体１内部の信号処理基板（不図示）から表示ユニット１５へ信号を伝えるフレキシブル基板（不図示）を保護する役割を有し、第１ヒンジプレート１９のカメラ本体１の背面側の面に取り付けられる。図７（ｅ）及び図７（ｆ）に示すように、フレキガード２７には、開口部２７ａが形成され、開口部２７ａには、ロックスライダ２８と、ロックスライダ２８を図の上方向（矢印Ｇ方向）に付勢する付勢バネ２９とが収納されている。
【００４２】
ロックスライダ２８と付勢バネ２９は、フレキガード２７と第１ヒンジプレート１９との間に挟まれた状態で保持される。ロックスライダ２８には、斜面部２８ａとプレート掛止部２８ｂが設けられている。プレート掛止部２８ｂは、本発明の第２掛止部の一例に相当し、斜面部２８ａに並設されている。
【００４３】
図８（ａ）は表示ユニット１５が図２（ａ）の状態にあるときのロックスライダ２８の斜面部２８ａの位置での断面図、図８（ｂ）は表示ユニット１５が図２（ａ）の状態にあるときのロックスライダ２８のプレート掛止部２８ｂの位置での断面図である。
【００４４】
図８（ａ）に示すように、図２（ａ）の状態では、ロックスライダ２８は、表示ユニット１５の斜面リブ１５ｃにより付勢バネ２９の付勢力に抗して斜面部２８ａが押し下げられた状態となる。
【００４５】
このとき、カメラ本体１の背面部から突出するロック爪２６に表示ユニット１５の画面掛止部１５ｂが掛脱可能に掛止されることで、ロック爪２６を下方向に付勢する不図示のバネの付勢力により表示ユニット１５が１の方向に引き込まれる。これにより、表示ユニット１５がカメラ本体１に対して閉じ状態で回動規制される。ロック爪２６は、本発明のロック部材の一例に相当する。
【００４６】
図８（ｃ）は、表示ユニット１５を図２（ａ）の状態から第１回動軸１６中心に所定角度回動させたときのロックスライダ２８の斜面部２８ａの位置での断面図である。図８（ｄ）は、表示ユニット１５を図２（ａ）の状態から第１回動軸１６中心に所定角度回動させたときのロックスライダ２８のプレート掛止部２８ｂの位置での断面図である。
【００４７】
図８（ｃ）の状態では、図８（ａ）と同様に、ロックスライダ２８は、表示ユニット１５の斜面リブ１５ｃにより付勢バネ２９の付勢力に抗して斜面部２８ａが押し下げられた状態が維持されている。そして、表示ユニット１５に対して第１回動軸１６を中心とした回動方向へロック爪２６の付勢力を超える力を加えることにより、図８（ｄ）に示すように、ロック爪２６から表示ユニット１５の画面掛止部１５ｂが外れて掛止が解除される。これにより、表示ユニット１５のロックが解除され、表示ユニット１５を図２（ｂ）の状態まで回動させることができる。
【００４８】
図８（ｅ）は、表示ユニット１５を図２（ａ）の状態から第２回動軸１７中心に所定角度回動させたときのロックスライダ２８の斜面部２８ａの位置での断面図である。図８（ｆ）は、表示ユニット１５を図２（ａ）の状態から第２回動軸１７中心に所定角度回動させたときのロックスライダ２８のプレート掛止部２８ｂの位置での断面図である。
【００４９】
表示ユニット１５に対して第２回動軸１６を中心とした回動方向へロック爪２６の付勢力を超える力を加えることにより、図８（ｆ）に示すように、ロック爪２６から表示ユニット１５の画面掛止部１５ｂが外れて掛止が解除される。これにより、表示ユニット１５のロックが解除される。このとき、図８（ｅ）に示すように、表示ユニット１５の斜面リブ１５ｃがロックスライダ２８の斜面部２８ａから外れるため、ロックスライダ２８は、付勢バネ２９の付勢力によりロック爪２６に向けて移動して、プレート掛止部２８ｂがロック爪２６に掛止される。
【００５０】
これにより、第１ヒンジプレート１９の第１回動軸１６中心の回動が規制される。そのため、表示ユニット１５を図２（ａ）の状態から図２（ｄ）の状態まで回動操作する際に、第１回動軸１６を中心とした第１ヒンジプレート１９の回動が規制されるので、表示ユニット１５を図２（ｄ）の状態まで容易に回動させることができる。
【００５１】
以上説明したように、本実施形態では、２つの回動軸１６，１７を有するヒンジ機構を用いた場合でも、表示ユニット１５がユーザの意図しない角度に回動することを防止し、所望の角度に容易に表示ユニット１５を回動させることができる。これにより、表示ユニット１５の操作性に優れたカメラを提供することができる。
【００５２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５３】
１  カメラ本体
１５  表示ユニット
１５ｂ  画面掛止部
１５ｃ  斜面リブ
１６  第１回動軸
１７  第２回動軸
１８ａ，１８ｂ  固定プレート
１９  第１ヒンジプレート
２０  第２ヒンジプレート
２４  ヒンジストッパ
２５ａ  凸部
２６  ロック爪
２８  ロックスライダ
２８ａ  斜面部
２８ｂ  プレート掛止部
２９  付勢バネ
【図１】
2016098870.tif 000003
【図２】
2016098870.tif 000004
【図３】
2016098870.tif 000005
【図４】
2016098870.tif 000006
【図５】
2016098870.tif 000007
【図６】
2016098870.tif 000008
【図７】
2016098870.tif 000009
【図８】
2016098870.tif 000010